(57)【要約】      （修正有）【課題】回線診断の工数を低減し、且つ、回線診断のための電話料金を０にする。【解決手段】回線診断実行部１は、複数のディジタル回線の一方の回線端が上記ネットワークで接続する２本１組の回線対を構成し、該回線対の第１の回線端から発呼し、該回線対の第２の回線端を着呼機能停止状態に維持し、診断判定部２は、上記第１の回線端に於ける呼出音信号の状態を監視し、該呼出音信号が呼び出し音状態のとき回線状態合格と判定し、該呼出音信号がビジー音状態のとき回線状態不合格と判定する。【選択図】図１
2008124731.tif 000002
【特許請求の範囲】
【請求項１】
ネットワークから複数のディジタル回線を収容し、内線に接続する回線接続サーバを含む回線診断システムであって、
前記複数のディジタル回線の一方の回線端が前記ネットワークで接続する２本１組の回線対を構成し、該回線対の第１の回線端から発呼し、該回線対の第２の回線端を着呼機能停止状態に維持する回線診断実行部と、
前記第１の回線端に於ける発呼の状態を監視し、該発呼が呼出状態のとき回線状態合格と判定し、該発呼がビジー状態のとき回線状態不合格と判定する診断判定部とを備えることを特徴とする回線診断システム。
【請求項２】
前記ディジタル回線は、ＩＮＳ６４回線であり、前記回線接続サーバは、ＣＴＩ（Ｃｏｍｐｕｔｅｒ  Ｔｅｌｅｐｈｏｎｙ  Ｉｎｔｅｇｒａｔｉｏｎ）サーバであることを特徴とする請求項１に記載の回線診断システム。
【請求項３】
前記回線診断実行部は、
前記発呼に先立って前記回線対の第２の回線端の着呼機能を停止させる着呼機能停止手段を備えることを特徴とする請求項１に記載の回線診断システム。
【請求項４】
前記回線診断実行部は、
前記複数のディジタル回線から所定の順番に基づいて前記回線対を設定する回線対設定手段を備えることを特徴とする請求項１に記載の回線診断システム。
【請求項５】
前記診断判定部は、
判定結果を表示する結果表示手段を備えることを特徴とする請求項１に記載の回線診断システム。
【発明の詳細な説明】
【技術分野】
【０００１】
本発明は、ディジタル伝送回線、特にＩＮＳ６４回線における回線診断システムに関するものである。
【背景技術】
【０００２】
近年、パソコン（ＰＣ）やワークステーションなどを用いて音声通信を可能とするコンピュータ・テレフォニーが普及している（例えば特許文献１参照）。このコンピュータ・テレフォニーによれば、電話網等の音声ネットワークとＬＡＮ（ローカルエリアネットワーク）等のデータネットワークとを統合し、所定の公衆回線に接続することが可能になる。特に近年高画質化が求められているファクシミリ回線等に於いては、通常のアナログ電話回線に併用したのでは、達成可能な画質レベルはすでに限界にきている。ところが、上記コンピュータ・テレフォニーによれば、より一層の高画質化の実現が可能になる。
【０００３】
但し、かかる場合には回線診断が難しくなってくる。従来の回線診断方法では、上記所定の公衆回線に特定の電話機を接続し、この電話機から回線診断が求められているＩＮＳ６４回線を収容するＣＴＩ（Ｃｏｍｐｕｔｅｒ  Ｔｅｌｅｐｈｏｎｙ  Ｉｎｔｅｇｒａｔｉｏｎ）サーバに対し、ＩＮＳ６４回線毎に発呼し、実際に回線接続して診断するという方法が採られている。
【特許文献１】特開２００４−３４９９４８号公報
【発明の開示】
【発明が解決しようとする課題】
【０００４】
上記従来の回線診断方法では、回線診断にかなりの工数を要し、且つ電話料金が多額になってしまうという解決すべき課題が残されていた。本発明の目的は、ＩＮＳ６４回線を収容するＣＴＩサーバが、回線診断を自動的に実行し、且つ、回線診断のための電話料金の課金を防ぐことを目的とする。
【課題を解決するための手段】
【０００５】
本発明は、ネットワークから複数のディジタル回線を収容し、内線に接続する回線接続サーバを含む回線診断システムであって、上記複数のディジタル回線の一方の回線端が上記ネットワークで接続する２本１組の回線対を構成し、該回線対の第１の回線端から発呼し、該回線対の第２の回線端を着呼機能停止状態に維持する回線診断実行部と、上記第１の回線端に於ける発呼の状態を監視し、該発呼が呼出状態のとき回線状態合格と判定し、該発呼がビジー状態のとき回線状態不合格と判定する診断判定部とを備えることを主要な特徴とする。
【発明の効果】
【０００６】
回線診断実行部が診断対象回線を自動的に設定して回線診断を実施し、その結果を診断判定部が、自動的に判定していくので診断工数が極めて低減されるという効果を得る。又、回線診断実行部が発呼に先立って着信側の着呼機能を停止させるので回線診断のための電話料金が０になるという効果を得る。
【発明を実施するための最良の形態】
【０００７】
本発明による回線診断システムは以下のように構成される。
【実施例１】
【０００８】
本発明による診断システムの構成について説明する。
図１は、本発明による診断システムの構成の機能ブロック図である。
図に示すように、本発明による診断システムは、公衆回線からなるネットワーク１００（局用交換機１０１を含む）と、本発明により、回線診断機能が付加されたＣＴＩサーバ２００と、該ＣＴＩサーバ２００及びネットワーク１００を接続する加入者線３００と、ＣＴＩサーバ２００に接続されるＬＡＮ４００とを含む。
【０００９】
以下に回線診断機能が付加されたＣＴＩサーバ２００の構成について説明する。
図に示すように、ＣＴＩサーバ２００は、回線診断実行部１と、診断判定部２と、着呼停止部３と、表示部４と、回線信号入出力部５と、内線信号入出力部６と、ＣＰＵ７と、ＲＯＭ８と、ＲＡＭ９と、ＤＢ１０とを備える。
【００１０】
回線診断実行部１は、予め定められている所定の時間に、或いはまた、予め定められている所定の時間間隔で後述の手順に従って、システムの回線診断を自動的に実行する部分である。この部分は、その内部に診断開始通知手段１１と、回線設定手段１２と、発呼手段１３と、診断終了通知手段１４とを有している。
【００１１】
診断開始通知手段１１は、予め定められている所定の時間に、或いはまた、予め定められている所定の時間間隔で回線診断を開始させるための診断開始通知信号（Ｓ１）を着呼停止部３へ送出する手段である。回線設定手段１２は、加入者線３００に収容されている１〜ＮまでのＩＮＳ６４回線から一方の回線端がネットワーク１００の局用交換機１０１で接続する２本１組の回線対を構成し、該回線対の第１の回線端を発信側に設定し、該回線対の第２の回線端を着信側に設定する手段である。更に、この２本１組の回線対を診断対象回線対として番号順（１例）に設定する手段である。発呼手段１３は、回線設定手段１２によって設定された診断対象回線対に対して発信側から着信側に向けて発呼する手段である。診断終了通知手段１４は、全ての回線の診断が終了すると診断終了通知信号（Ｓ２）を着呼停止部３へ送出する手段である。
【００１２】
診断判定部２は、発呼手段１３がＩＮＳ６４回線に対して発呼した結果、ネットワーク１００の内部に備える局用交換機１０１から受入れる応答信号に基づいて（発呼の状態を監視し）診断結果を判定し、その判定結果を表示部４に表示させる部分である。この診断判定部２は、その内部に局用交換機１０１から受入れる応答信号に基づいて診断結果を判定するためのトーン判定手段２１と、判定結果を表示させるための結果表示手段２２とを有している。
【００１３】
トーン判定手段２１は、発信側が、局用交換機１０１から呼出音信号を受信すると（通常１５秒間継続した後）、診断対象回線は診断合格と判定し、同様に発信側が、局用交換機１０１からビジー音信号を所定の時間受信すると、診断対象回線は診断不合格と判定する手段である。結果表示手段２２は、トーン判定手段２１による回線の診断結果を表示部４へ表示させ、操作者に通知する手段である。
【００１４】
着呼停止部３は、診断開始通知手段１１から診断開始通知信号（Ｓ１）を受入れると着呼機能を停止させ、そのまま停止状態を維持し、診断終了通知手段１４から診断終了通知信号（Ｓ２）を受入れると、着呼機能停止状態を解除する手段である。
【００１５】
表示部４は、結果表示手段２２の指示に基づいて診断結果を表示して操作者に通知する液晶表示板（ＬＣＤ）などの表示手段である。この表示部４は、ＣＴＩサーバ２００の通常機能の制御に用いられる表示板を併用しても良い。回線信号入出力部５は、ＣＴＩサーバ２００と加入者線３００との間で回線信号Ｄ１を送受信するインタフェース機能を分担する部分である。内線信号入出力部６は、ＣＴＩサーバ２００とＬＡＮ４００との間で内線信号Ｄ２を送受信するインタフェース機能を分担する部分である。
【００１６】
ＣＰＵ７は、ＲＯＭ８に予め格納されている所定の制御プログラムを実行して装置全体を制御するマイクロプロセッサである。又、ＲＯＭ８に予め格納されている所定の制御プログラムを実行することによって、上記回線診断実行部１、診断判定部２、及び着呼停止部３をＣＴＩサーバ２００の構成部分（機能ブロック）として起動・生成する部分でもある。
【００１７】
ＲＯＭ８は、ＣＰＵ７が実行することによって、装置全体を制御したり、上記回線診断実行部１、診断判定部２、及び着呼停止部３を機能ブロックとして起動・生成する制御プログラム及び制御データを予め格納する読み出し専用メモリである。ＲＡＭ９は、ＣＰＵ７が上記制御プログラムを実行するときに必要にな演算領域となる書込み・読み出し可能メモリである。ＤＢ１０は、ＬＡＮ４００に接続されているＰＣ等の情報を格納するデータベースである。
【００１８】
本発明による診断システムの動作について説明する。
図２は、本発明による診断システムの動作説明図である。
この図は、本発明による診断システムの回線診断の手順を示すシーケンス図である。
【００１９】
動作説明の前提条件を以下のように定める。
前提条件１
ＣＴＩサーバ２００（図１）が収容するＩＮＳ回線は、１〜２ｎ（＝Ｎ）回線とする。
前提条件２
回線設定手段１２（図１）は、加入者線３００を構成する１〜２ｎ（＝Ｎ）のＩＮＳ６４回線を発信側をＸ回線に設定した場合には、着信側をＸ＋ｎ回線に設定するものとする。
前提条件３
ここでは、１例としてＸ回線が回線障害を発生しており、他の回線は全て障害が無いものとする。
【００２０】
以下に図１を併用しながら図中のステップ順に図１を併用しながら本発明による診断システムの動作について説明する。
ステップＳ１
診断開始通知手段１１は、予め定められている所定の時間に、或いはまた、予め定められている所定の時間間隔で回線診断を開始させるための診断開始通知信号（Ｓ１）を着呼停止部３へ送出する。
【００２１】
ステップＳ２
着呼停止部３は、診断開始通知手段１１から診断開始通知信号（Ｓ１）を受入れると着呼機能を停止させ、その着呼機能停止状態を維持する。即ち、ネットワーク１００に備える局用交換機１０１から発呼されても着呼しない状態にし、その状態を維持する。
【００２２】
ステップＳ３
回線設定手段１２は、加入者線３００に収容されている１〜２ｎ（＝Ｎ）回線の中から発信側を１回線に設定し、この１回線から局用交換機１０１を経由して着信側のｎ＋１回線に戻る回線対を設定する。
【００２３】
ステップＳ４
発呼手段１３は、回線設定手段１２によって設定されたＩＮＳ６４回線に対して、回線信号入出力部５を介して発呼する。ここでは、ネットワーク１００に備える局用交換機１０１を介して発信側の１回線から着信側のｎ＋１回線に向けて発呼することになる。
【００２４】
ステップＳ５
ネットワーク１００に備える局用交換機１０１は、ＣＴＩサーバ２００の１回線からＣＴＩサーバ２００のｎ＋１回線に向けての発呼を受入れる。該局用交換機１０１はＣＴＩサーバ２００の１回線とＣＴＩサーバ２００のｎ＋１回線とを回線接続し、ｎ＋１回線に向けて発呼する。
【００２５】
ステップＳ６
ＣＴＩサーバ２００の着信側は、ネットワーク１００に備える局用交換機１０１から回線信号入出力部５を介してｎ＋１回線に呼出音信号を受信する。
【００２６】
ステップＳ７
ＣＴＩサーバ２００の着信側は、上記ステップＳ２で着呼停止されているので、呼び出し状態を所定の時間（通常１５秒間）継続する。
【００２７】
ステップＳ８
ネットワーク１００に備える局用交換機１０１は、ＣＴＩサーバ２００の着信側が着呼停止状態を維持しているのでＣＴＩサーバ２００の発信側にも呼出音信号の送信を所定の時間継続している。
【００２８】
ステップＳ９
トーン判定手段２１は、ネットワーク１００に備える局用交換機１０１から呼出音信号を所定の時間受信すると、診断対象回線は診断合格と判定する。ここでは、回線１と回線ｎ＋１とが診断合格と判定されることになる。
【００２９】
ステップＳ１０
結果表示手段２２は、トーン判定手段２１による診断結果、ここでは回線１、及び回線ｎ＋１の合格判定を表示部４へ表示させる。
【００３０】
以下同様の動作を繰り返す。前提条件３により１例としてＸ回線が回線障害を発生しているものとし、この障害が発生している場合の動作について説明する。
【００３１】
ステップＳ８Ｘ＋１０
回線設定手段１２は、加入者線３００を構成する１〜２ｎ（＝Ｎ）回線の中から発信側をＸ回線に設定し、発信側をｎ＋Ｘ回線に設定する。
【００３２】
ステップＳ８Ｘ＋１１
発呼手段１３は、回線設定手段１２によって設定されたＩＮＳ６４回線に対して、回線信号入出力部５を介して発呼する。ここでは、ネットワーク１００に備える局用交換機１０１を介して発信側のＸ回線から着信側のｎ＋Ｘ回線に向けて発呼することになる。
【００３３】
ステップＳ８Ｘ＋１２
ネットワーク１００に備える局用交換機１０１は、ＣＴＩサーバ２００のＸ回線からＣＴＩサーバ２００のｎ＋Ｘ回線に向けての発呼を受入れる。該局用交換機はＣＴＩサーバ２００のＸ回線とＣＴＩサーバ２００のｎ＋Ｘ回線とを回線接続し、ｎ＋Ｘ回線に向けて発呼する。
【００３４】
ステップＳ８Ｘ＋１３
ＣＴＩサーバ２００の着信側は、ネットワーク１００に備える局用交換機１０１から回線信号入出力部５を介してｎ＋Ｘ回線に呼出音信号の受信不可能状態（ビジー状態）にある。
【００３５】
ステップＳ８Ｘ＋１４
ＣＴＩサーバ２００の着信側は、受信不可能状態（ビジー状態）を所定の時間継続する。
【００３６】
ステップＳ８Ｘ＋１５
ネットワーク１００に備える局用交換機１０１は、ＣＴＩサーバ２００の着信側が受信不可能状態（ビジー状態）なので、ＣＴＩサーバ２００の発信側にもビジー音信号の送信を所定の時間継続している。
【００３７】
ステップＳ８Ｘ＋１６
トーン判定手段２１は、ネットワーク１００に備える局用交換機１０１からビジー音信号を所定の時間受信すると、診断対象回線は診断不合格と判定する。ここでは、回線Ｘ、又は回線ｎ＋Ｘが診断不合格と判定されることになる。
【００３８】
ステップＳ８Ｘ＋１７
結果表示手段２２は、トーン判定手段２１による診断結果、ここでは回線Ｘ、または回線ｎ＋Ｘの合格判定を表示部４へ表示させる。
【００３９】
以下同様の動作を繰り返す。前提条件３により１例としてｎ回線の回線診断が終了すると着呼停止部３の着呼停止状態が以下のように解除される。
【００４０】
ステップＳ８ｎ＋１０
回線設定手段１２がｎ＋１回線を設定すると、診断終了通知手段１４が診断終了を検知し、診断終了通知信号（Ｓ２）を着呼停止部３へ送出する。
【００４１】
ステップＳ８ｎ＋１１
着呼停止部３は、診断終了通知信号（Ｓ２）を受入れると着呼停止状態を解除させる。即ち、ネットワーク１００に備える局用交換機１０１から発呼されると着呼できる状態に復帰させてシーケンスを終了する。
【００４２】
尚、上記説明では、２本１組の回線対を単位として診断の合否を判定したが、診断不合格回線対を構成する何れの回線（一方、又は双方）が診断不合格であるかを判定するには以下のようにすればよい。上記の例に従ってＸ回線とｎ＋Ｘ回線の対が診断不合格であった場合には、Ｘ回線と（ｎ−１）＋Ｘ回線の対、及びＸ回線と（ｎ＋１）＋Ｘ回線の対とを診断することによって、診断不合格となる何れの回線（一方、又は双方）を容易に特定することが可能である。
【００４３】
以上説明したように、本発明によれば、回線診断実行部１が診断対象回線を自動的に設定して回線診断を実施し、その結果を診断判定部２が、自動的に判定していくので診断工数が極めて低減されるという効果を得る。又、回線診断実行部１が所定のＩＮＳ６４回線に対して発呼し、そのとき局用交換機（図示しない）から受入れる応答信号が呼び出し音の場合には障害なし、ビジー音のときは障害ありと、診断判定部２が判定するので、回線診断用に特別の回線を設ける必要が無くなる。更に、回線診断中は着呼を停止しているので回線診断のための電話料金が０になるという効果を得る。尚、音で状態を検出するとあるが、状態そのもので検出してもよい。例えば、ＩＤＳＮ回線の呼制御のメッセージの内容を参照することにより上記の状態を判断することが出来る。
【産業上の利用可能性】
【００４４】
以上説明したシステムを適用したコンピュータ・テレフォニーシステムにファクシミリ装置を接続することにより、より一層の高画質化の実現が可能になる。
【図面の簡単な説明】
【００４５】
【図１】本発明による診断システムの構成の機能ブロック図である。
【図２】本発明による診断システムの動作説明図である。
【符号の説明】
【００４６】
１    回線診断実行部
２    診断判定部
３    着呼停止部
４    表示部
５    回線信号入出力部
６    内線信号入出力部
７    ＣＰＵ
８    ＲＯＭ
９    ＲＡＭ
１０    ＤＢ
１１    診断開始通知手段
１２    回線設定手段
１３    発呼手段
１４    診断終了通知手段
２１    トーン判定手段
２２    結果表示手段
１００    ネットワーク
２００    ＣＴＩサーバ
３００    加入者線
４００    ＬＡＮ
Ｄ１    回線信号
Ｄ２    内線信号
【図１】
2008124731.tif 000003
【図２】
2008124731.tif 000004